(57)【要約】【課題】  サブ基板を排出させる２つのレバー部材の同時操作を片手で行うことができるようにし、サブ基板の排出操作性を向上させる。【解決手段】  ハウジング１０における受容溝１４の延びる方向の両端部に取り付けられ、サブ基板６０のハウジング１０に対する挿脱面と平行な面内で揺動自在な２つのレバー部材３０，３０の各々は、ハウジング１０に枢支されたアーム部３２及びアーム部３２の端部に設けられてハウジング１０の側方に位置した操作部３１からなる。サブ基板６０がハウジング１０の受容溝１４内に挿入されている状態から２つのレバー部材３０，３０の操作部３１を互いに近づく方向に押圧操作したとき、２つのレバー部材３０，３０それぞれのアーム部３２が揺動して、操作部３１とアーム部３２の揺動中心(枢支円孔３２ａ)との間に形成された押圧部３３がサブ基板６０をハウジング１０から排出させる方向に押圧する。【選択図】        図５
2006236834.tif 000002
【特許請求の範囲】
【請求項１】
第１の基板に取り付けられ、前記第１の基板と接続される第２の基板を受容する受容溝を有したハウジングと、
前記ハウジングに保持され、前記ハウジングの前記受容溝内に挿入された前記第２の基板の端子と接触するコンタクトと、
前記ハウジングにおける前記受容溝の延びる方向の両端部に取り付けられて前記第２の基板の前記ハウジングに対する挿脱面と平行な面内で揺動自在な２つのレバー部材とを有し、
前記２つのレバー部材の各々は前記ハウジングに枢支されたアーム部及び前記アーム部と連結して前記ハウジングにおける前記受容溝の延びる方向の端部の外方に位置した操作部からなっており、
前記第２の基板が前記ハウジングの前記受容溝内に挿入されている状態から前記２つのレバー部材の前記操作部を互いに近づく方向に押圧操作したとき、前記２つのレバー部材それぞれの前記アーム部が揺動して、前記操作部と前記アーム部の揺動中心との間に形成された押圧部が前記第２の基板を前記ハウジングから排出させる方向に押圧し、これにより前記第２の基板が前記ハウジングより排出されるようになっていることを特徴とするコネクタ。
【請求項２】
前記第２の基板が前記ハウジングの前記受容溝内に挿入されている状態から前記２つのレバー部材の前記操作部を押圧操作したとき、前記操作部は前記第２の基板が前記ハウジングから排出された時点で前記ハウジングに当接するようになっていることを特徴とする請求項１記載のコネクタ。
【請求項３】
前記第２の基板が前記ハウジングの前記受容溝内に挿入されたとき、前記ハウジングに設けられた係止突起が前記第２の基板に形成された被係止凹部に嵌入して前記第２の基板が前記ハウジング内にロックされるようになっており、前記第２の基板が前記ハウジングの前記受容溝内に挿入されている状態から前記２つのレバー部材の前記操作部を押圧操作したとき、前記２つのレバー部材それぞれの前記操作部から延びて設けられたロック解除部が前記係止突起を前記第２の基板の面外方向に移動させて前記ハウジングの前記第２の基板に対するロックを解除させるようになっていることを特徴とする請求項１又は２記載のコネクタ。
【発明の詳細な説明】
【技術分野】
【０００１】
本発明は、メモリーモジュールなどのサブ基板をメイン基板に接続するために用いられるコネクタに関し、更に詳しくは、挿入されたサブ基板をコネクタより排出させるための排出機構に関する。
【背景技術】
【０００２】
基板同士を接続するコネクタは従来知られており、一方の基板（メイン基板と称する）に固定されて他方の基板（サブ基板と称する）を受容する受容溝を有したハウジングと、このハウジングに保持されてメイン基板上の配線パターンと繋がる複数のコンタクトとから構成されている。メイン基板に接続されるサブ基板としてはメモリーモジュールやインターフェースカード、ＩＣカードなどが知られており、メイン基板に挿入される端部にはコネクタのコンタクトと接触する端子がコンタクトの配列に対応して整列配置されている。サブ基板はコネクタのハウジングに形成された受容溝内に挿着され、この状態においてコネクタ側のコンタクトとサブ基板側の端子とが接触するようになっている。
【０００３】
サブ基板のコネクタからの排出は、ハウジングの両端部に設けられた２つのレバー部材を操作して行われる。各レバー部材はその中間部がハウジングに枢支されたシーソーのような構成となっており、一方側の端部に形成された操作部をサブ基板のハウジングへの挿入方向に押圧するとレバー部材全体が枢支部を中心として揺動し、他方側の端部に形成された押圧部がこれとは反対の方向に移動してサブ基板をハウジングから押し出す（排出する）ようになっている（例えば下記の特許文献参照）。
【特許文献１】特開２０００−９１０３２号公報
【特許文献２】特開平８−１４８２２３号公報
【発明の開示】
【発明が解決しようとする課題】
【０００４】
しかしながら、上記従来のコネクタでは、サブ基板の排出操作時には２つのレバー部材の操作部はレバー部材全体の揺動によって互いに離間するように移動するため、２つのレバー部材の片手による同時操作は行いにくく、安全のため両手を用いて行う必要があった。また、サブ基板をハウジングより排出させる際、レバー部材の操作力が大き過ぎた場合には、その操作部や枢支部を破損させてしまうおそれがあった。
【０００５】
本発明はこのような問題に鑑みてなされたものであり、サブ基板を排出させる２つのレバー部材の同時操作を片手で行うことができるようにし、サブ基板の排出操作性を向上させることができるようにしたコネクタを提供することを目的としている。また、レバー部材の操作力が過大であった場合でもその操作部や枢支部を破損させるおそれのない構成のコネクタを提供することを目的としている。
【課題を解決するための手段】
【０００６】
本発明に係るコネクタは、第１の基板(例えば、実施形態におけるメイン基板５０)に取り付けられ、第１の基板と接続される第２の基板(例えば、実施形態におけるサブ基板６０)を受容する受容溝を有したハウジングと、ハウジングに保持され、ハウジングの受容溝内に挿入された第２の基板の端子と接触するコンタクトと、ハウジングにおける受容溝の延びる方向の両端部に取り付けられて第２の基板のハウジングに対する挿脱面と平行な面内で揺動自在な２つのレバー部材とを有し、これら２つのレバー部材の各々はハウジングに枢支されたアーム部及びアーム部と連結してハウジングにおける受容溝の延びる方向の端部の外方に位置した操作部からなっており、第２の基板がハウジングの受容溝内に挿入されている状態から２つのレバー部材の操作部を互いに近づく方向に押圧操作したとき、前記２つのレバー部材それぞれのアーム部が揺動して、操作部とアーム部の揺動中心(例えば、実施形態における枢支円孔３２ａ)との間に形成された押圧部が第２の基板をハウジングから排出させる方向に押圧し、これにより第２の基板がハウジングより排出されるようになっている。
【０００７】
上記コネクタでは、第２の基板がハウジングの受容溝内に挿入されている状態から２つのレバー部材の操作部を押圧操作したとき、これら操作部は第２の基板がハウジングから排出された時点でハウジングに当接するようになっていることが好ましい。また、第２の基板がハウジングの受容溝内に挿入されたとき、ハウジングに設けられた係止突起が第２の基板に形成された被係止凹部(例えば、実施形態における被係止孔６２)に嵌入して第２の基板がハウジング内にロックされるようになっており、第２の基板がハウジングの受容溝内に挿入されている状態から２つのレバー部材の操作部を押圧操作したとき、２つのレバー部材それぞれの操作部から延びて設けられたロック解除部（ロック解除突起３４）が係止突起を第２の基板の面外方向に移動させてハウジングの第２の基板に対するロックを解除させるようになっていることが好ましい。
【発明の効果】
【０００８】
本発明に係るコネクタでは、第２の基板がハウジングの受容溝内に挿入されている状態からハウジングの両端部に取り付けられた２つのレバー部材の操作部を互いに近づく方向に押圧操作すると、２つのレバー部材それぞれのアーム部が揺動して、操作部とアーム部の揺動中心との間に形成された押圧部が第２の基板をハウジングから排出させる方向に押圧し、これにより第２の基板がハウジングの受容溝より排出されるようになっている。このように本発明に係るコネクタでは、ハウジングの両端部に設けられて第２の基板の排出時に押圧操作される２つのレバー部材が、従来のようにその操作部同士が遠ざかる方向ではなく、操作部同士が近づく方向に揺動するので、これら２つのレバー部材の同時操作を片手で行うことができ、第２の基板の排出操作性を向上させることができる。
【０００９】
また、本発明に係るコネクタでは、第２の基板がハウジングの受容溝内に挿入されている状態から２つのレバー部材の操作部を押圧操作したとき、これら操作部が、第２の基板がハウジングから排出された時点でハウジングに当接するようになっているのであれば、レバー部材の操作力が過大であった場合でもその操作部や枢支部を破損させるおそれがない。更に、第２の基板がハウジングの受容溝内に挿入されたとき、ハウジングに設けられた係止突起が第２の基板に形成された被係止凹部に嵌入して第２の基板がハウジング内にロックされるようになっており、第２の基板がハウジングの受容溝内に挿入されている状態から２つのレバー部材の操作部を押圧操作したとき、２つのレバー部材それぞれの操作部から延びて設けられたロック解除部が上記係止突起を第２の基板の面外方向に移動させてハウジングの第２の基板に対するロックを解除させるようになっているのであれば、第２の基板のハウジングへのロック及びその解除を行う構成は簡易なものとなり、製造コストの低減に資することができる。
【発明を実施するための最良の形態】
【００１０】
以下、図面を参照して本発明の好ましい実施形態について説明する。図１は本発明の一実施形態に係るコネクタ１を、このコネクタ１が取り付けられるメイン基板５０及びこのコネクタ１に挿着されるサブ基板(例えばメモリーモジュールやインターフェースカードなど)６０とともに示したものである。
【００１１】
コネクタ１はメイン基板５０に取り付けられるとともにサブ基板６０を受容する受容溝１４を有したハウジング１０と、このハウジング１０における受容溝１４の延びる方向（この受容溝１４の延びる方向をハウジング１０の左右方向とする）の両端部に取り付けられた２つのレバー部材３０，３０と、ハウジング１０内に保持されるとともに、メイン基板５０上に形成された配線パターン５２に接続された多数のコンタクト４０，４０，・・・とを有して構成されている。ハウジング１０と２つのレバー部材３０，３０は樹脂等の電気絶縁性材料からなり、各コンタクト４０は金属等の導電性材料からなっている。
【００１２】
ハウジング１０は図２に示すように左右方向に細長く延びた形状を有する２つの壁面（図２における紙面手前側を前壁１１、これと対向する側を後壁１２とする）及びこれら前壁１１，後壁１２の左右両端部に位置して前壁１１と後壁１２とを連結する左右の連結部１３，１３と有しており、前壁１１と後壁１２との間にはサブ基板６０を受容する受容溝１４が、メイン基板５０に対して垂直な方向に延び、かつメイン基板５０とは反対の側（ここでは上方）に開口するように設けられている。また、後壁１２の左右両端部それぞれからはガイド部支持部１５が上方に延びて設けられており、その上端部には断面「コ」の字状のガイド部１６が形成されている。前壁１１の左右両端部それぞれからは上記ガイド部支持部１５と対向するように係止突起支持部１７が片持ち状態で上方に延びて設けられており、それぞれガイド部１６の下方に位置している（図３も参照）。各係止突起支持部１７はハウジング１０の前後方向（図３では紙面の左右方向）に撓み変形可能であり、ガイド部支持部１５と対向する側の面には受容溝１４内に向けて突出するように係止突起１８が設けられている。
【００１３】
各レバー部材３０は図４にも示すように操作部３１と、この操作部３１から平行に延びて設けられた２つのアーム部３２，３２と、操作部３１の内面側からアーム部３２，３２の延びる側に延びて設けられた押圧部３３とを有している。各アーム部３２の端部には枢支円孔３２ａが設けられており、この枢支円孔３２ａがハウジング１０の前壁１１と後壁１２それぞれの左右端部から外方に突出して設けられた枢支突起１９（図２も参照）に枢支されている。このため、各レバー部材３０のアーム部３２はその揺動中心である枢支円孔３２ａを中心にサブ基板６０のハウジング１０に対する挿脱面と平行な面内（受容溝１４の延びる面内であり、ここでは上下面内）において揺動自在となっている。
【００１４】
操作部３１はハウジング１０の左右方向（受容溝１４の延びる方向）の端部の外方に位置しており、その下面３１ａ（図７参照）がハウジング１０の連結部１３の上面１３ａ（図２参照）に上方から当接する位置（図５（Ａ）及び図７（Ａ）参照）と、上端当接部３１ｂ（図４及び図７（Ａ）参照）がハウジング１０のガイド部１６の側部に設けられた当接面１６ａ（図２及び図７（Ａ）参照）にハウジング１０の左右外方から当接する位置（図５（Ｂ）及び図７（Ｂ）参照）との間で移動可能である。また、図４に示すように各レバー部材３０の操作部３１の上部には、アーム部３２の延びる側に平行に延びた２つのロック解除突起３４，３４が設けられており、操作部３１がハウジング１０のガイド部１６の当接面１６ａに当接した状態では、これら２つのロック解除突起３４，３４はハウジング１０のガイド部支持部１５と係止突起支持部１７との間の空間２０（図２及び図３参照）内に入り込むようになっている（図５参照）。
【００１５】
各コンタクト４０はハウジング１０の受容溝１４を形成する前壁１１及び後壁１２の内面（互いに対向する面）側に整然と並んで設けられている。各コンタクト４０は図３に示すように、ハウジング１０の前壁１１若しくは後壁１２に固定された基部４１と、この基部４１から上方に片持ち状態で延びてその一部が受容溝１４内に突出した接触部４２と、基部４１から接触部４２とは反対の側（下方）へ延びてその端部がハウジング１０の外部（ハウジング１０の前方若しくは後方）に突出したリード部４３とを有した構成となっている。
【００１６】
コネクタ１のメイン基板５０への取り付けは、ハウジング１０の下面から下方に突出して設けられた複数の位置決め突起２１（図１及び図２参照）をメイン基板５０に設けられた位置決め穴５１（図１参照）内に上方から挿入することによりメイン基板５０上に位置決めした後、各コンタクト４０のリード部４３をメイン基板５０上の配線パターン５２に半田付け等により接合することによって行う。
【００１７】
サブ基板６０は図１及び図３に示すように、矩形平板状のベース部６１と、このベース部６１のハウジング１０への挿入する側の端部（以下、このハウジング１０へ挿入する側の端部をサブ基板６０或いはベース部６１の先端部と称する）に、その幅方向に並んで設けられた多数の端子６４とを有して構成されている。これら端子６４の配置はコネクタ１側のコンタクト４０の配置と一致しており、ベース部６１の先端部の両面に整然と設けられている。各端子６４はベース部６１に設けられた電子回路部６５と電気的に繋がっている。ベース部６１における左右両端部には小円孔からなる被係止孔６２が左右一対設けられており、ベース部６１の先端部には細長い切り欠き部６３がコネクタ１へ挿入される方向に延びて設けられている。左右の被係止孔６２，６２はサブ基板６０をコネクタ１に挿着した際、サブ基板６０がコネクタ１のハウジング１０にロックされるようにするためのものであり、切り欠き部６３はサブ基板６０がコネクタ１のハウジング１０内に正常に挿着されるようにするためのものである（いずれも詳細は後述）。
【００１８】
サブ基板６０のコネクタ１への挿着は、サブ基板６０の先端部（上述のように端子６４が設けられた側の端部）をハウジング１０の受容溝１４内に上方から挿入することにより行う（図１及び図３参照）。このときサブ基板６０はハウジング１０の左右端部に設けられた２つのガイド部１６によって受容溝１４内に導かれる。サブ基板６０が受容溝１４内に入ると、サブ基板６０の端子６４はコネクタ１のコンタクト４０の接触部４２を押し退けて（弾性的に撓ませて）進み、サブ基板６０の先端部がハウジング１０の後壁１２に形成された段差部からなるストッパ２２（図３及び図６（Ａ）参照）に上方から当接したところでサブ基板６０のハウジング１０内への挿入が完了する。このサブ基板６０のハウジング１０内への挿入が完了した時点では、図６に示すように、コネクタ１側の各コンタクト４０の接触部４２はサブ基板６０側の各端子６４に適当な接触圧をもって接触する。また、このサブ基板６０のハウジング１０内への挿入によって、コンタクト１に設けられた図示しない電源スイッチがオンとなる。このような状態では、サブ基板６０はコネクタ１を介してメイン基板５０と電気的に接続された状態となり、サブ基板６０とメイン基板５０との間では信号の伝送が可能となる。
【００１９】
ここで、サブ基板６０がハウジング１０に対して正しい向きで挿入された場合には、ベース部材６１の先端部に形成された切り欠き部６３と、ハウジング１０の受容溝１４内に上方に突出して延びて設けられた誤挿入防止突起２３（図１及び図２参照）とが嵌合するようになっている。ここで、切り欠き部６３及び誤挿入防止突起２３はそれぞれサブ基板６０若しくはハウジング１０の左右方向中心部よりも左右方向にずれた位置に設けられているため、サブ基板６０がハウジング１０に対して正しい向きで挿入されなかった場合には、切り欠き部６３と誤挿入防止突起２３とは嵌合せず、サブ基板６０のハウジング１０内への挿入は不能となる。すなわち、切り欠き部６３と誤挿入防止突起２３とによってサブ基板６０のハウジング１０への誤挿入が防止されるようになっている。
【００２０】
また、サブ基板６０がハウジング１０内に挿入されると、サブ基板６０のベース部６１はハウジング１０の係止突起支持部１７に形成された係止突起１８を押し退けて進むので、係止突起支持部１７はサブ基板６０の面外方向に撓み変形するが、サブ基板６０がハウジング１０内に正常に挿着されたときには、係止突起１８がサブ基板６０の左右両端に設けられた被係止孔６２に嵌入する。ここで、図３に示すように、被係止突起１８はその上面が傾斜面となっているが、下面はこのような傾斜面とはなっていないので、係止突起１８が被係止孔６２内に嵌入した状態では、サブ基板６０を上方に引っ張ってもハウジング１０から抜けることはない。すなわち、被係止突起１８が被係止孔６２内に嵌入することによってサブ基板６０はハウジング１０内にロックされる。
【００２１】
ハウジング１０内に挿着された状態のサブ基板６０をハウジング１０から排出させるには、ハウジング１０の左右端部に設けられた２つのレバー部材３０の操作部３１を互いに近づく方向に押圧操作すればよい。具体的には、２つのレバー部材３０の操作部３１を片手で摘まみ上げるようにする。これにより２つのレバー部材３０，３０のアーム部３２はその揺動中心（枢支円孔３２ａ）を中心に上方へ揺動し、各レバー部材３０に設けられた押圧部３３がサブ基板６０の先端部を上方へ押し上げる（図７（Ｂ）参照）。これによりサブ基板６０はハウジング１０の受容溝１４より排出される。また、このような２つのレバー部材３０，３０の揺動によって、各レバー部材３０に設けられた２つのロック解除突起３４，３４はガイド部支持部１５と係止突起支持部１７との間の空間２０内に入り込むが、このとき係止突起支持部１７側に位置するロック解除突起３４はその傾斜面３４ａ（図４参照）において係止突起支持部１７を外側（ハウジング１０の前方）に押圧してこれを撓み変形させるので、係止突起１８はサブ基板６０の面外方向（ハウジング１０の前方）に移動することとなり、サブ基板６０の被係止孔６２から離脱するので、ハウジング１０のサブ基板６０に対するロックが解除される。このような状態となれば、サブ基板６０を指で摘んでハウジング１０より抜き去ることができる。なお、各レバー部材３０の操作部３１はサブ基板６０がハウジング１０から排出された時点でその上端当接部３１ｂがハウジング１０のガイド部１６の当接面１６ａに当接するようになっており、レバー部材３０の揺動範囲はサブ基板６０がハウジング１０から排出されたところまでに制限される。
【００２２】
このように本コネクタ１では、サブ基板６０がハウジング１０の受容溝１４内に挿入されている状態からハウジング１０の両端部に取り付けられた２つのレバー部材３０，３０の操作部３１を互いに近づく方向に押圧操作すると、２つのレバー部材３０，３０それぞれのアーム部３２が揺動して、操作部３１とアーム部３２の揺動中心（枢支円孔３２ａ）との間に形成された押圧部３３がサブ基板６０をハウジング１０から排出させる方向に押圧し、これによりサブ基板６０がハウジング１０の受容溝１４より排出されるようになっている。このように本コネクタ１では、ハウジング１０の両端部に設けられてサブ基板６０の排出時に押圧操作される２つのレバー部材３０，３０が、従来のようにその操作部同士が遠ざかる方向ではなく、操作部３１同士が近づく方向に揺動するので、これら２つのレバー部材３０，３０の同時操作を片手で行うことができ、サブ基板６０の排出操作性を向上させることができる。
【００２３】
また、本コネクタ１では、サブ基板６０がハウジング１０の受容溝１４内に挿入されている状態から２つのレバー部材３０，３０の操作部３１を押圧操作したとき、これら操作部３１が、サブ基板６０がハウジング１０から排出された時点でハウジング１０に（具体的にはガイド部１６の当接面１６ａに）当接するようになっているので、レバー部材３０の操作力が過大であった場合でもその操作部３１や枢支部（具体的には枢支突起１９）を破損させるおそれがない。
【００２４】
更に本コネクタ１では、サブ基板６０がハウジング１０の受容溝１４内に挿入されたとき、ハウジング１０に（係止突起支持部１７に）設けられた係止突起１８がサブ基板６０に形成された被係止孔６２に嵌入してサブ基板６０がハウジング１０内にロックされるようになっており、サブ基板６０がハウジング１０の受容溝１４内に挿入されている状態から２つのレバー部材３０，３０の操作部３１を押圧操作したとき、２つのレバー部材３０，３０それぞれの操作部３１から延びて設けられたロック解除部３３が上記係止突起１８をサブ基板６０の面外方向に移動させてハウジング１０のサブ基板６０に対するロックを解除させるようになっている。このように本コネクタ１では、サブ基板６０のハウジング１０へのロック及びその解除を行う構成が簡易であるので、製造コストの低減に資することができる。
【００２５】
これまで本発明の好ましい実施形態について説明してきたが、本発明の範囲は上述の実施形態において示したものに限定されない。例えば、上述の実施形態では、コネクタ１はその受容溝１４の延びる方向がメイン基板５０に対して垂直方向となるようにメイン基板５０に取り付けられていたが、受容溝の延びる方向がメイン基板５０に対して平行となるように取り付けられるものであっても。また、上述の実施形態においては、サブ基板６０がハウジング１０内に正常に挿着されたとき、ハウジング１０に形成された係止突起１８がサブ基板６０に形成された被係止孔６２内に嵌入するようになっていたが、この被係止孔６２は孔でなくても凹部であればよい。
【図面の簡単な説明】
【００２６】
【図１】本発明の一実施形態に係るコネクタを、このコネクタが取り付けられるメイン基板及びこのコネクタに挿着されるサブ基板とともに示した斜視図である。
【図２】上記コネクタにおけるハウジング単体の斜視図である。
【図３】図１における矢視III−IIIから見た断面図である。
【図４】上記コネクタにおけるレバー部材単体の斜視図である。
【図５】（Ａ）はサブ基板が挿着された状態を示すコネクタを示す斜視図であり、（Ｂ）は挿着されたサブ基板が排出された状態を示すコネクタの斜視図である。
【図６】（Ａ）は図５（Ａ）における矢視VIA−VIAから見た断面図であり、（Ｂ）は図５（Ａ）における矢視VIB−VIBから見た断面図である。
【図７】（Ａ）は図５（Ａ）における矢視VIIA−VIIAから見た断面図であり、（Ｂ）は図５（Ｂ）における矢視VIIB−VIIBから見た断面図である。
【符号の説明】
【００２７】
１      コネクタ
１０    ハウジング
１４    受容溝
１６ａ  ガイド部の当接面
１７    係止突起支持部
１８    係止突起
１９    枢支突起
２３    誤挿入防止突起
３０    レバー部
３１    操作部
３２ａ  枢支円孔（揺動中心）
３３    押圧部
３４    ロック解除突起
４０    コンタクト
５０    メイン基板（第１の基板）
６０    サブ基板（第２の基板）
６２    被係止孔（被係止凹部）
６３    切り欠き部
６４    端子
【図１】
2006236834.tif 000003
【図２】
2006236834.tif 000004
【図３】
2006236834.tif 000005
【図４】
2006236834.tif 000006
【図５】
2006236834.tif 000007
【図６】
2006236834.tif 000008
【図７】
2006236834.tif 000009